(57)【要約】【課題】測光器の設置不良などによる不適切なキャリブレーションの実行を高精度に検出することができ、且つ、不適切なキャリブレーションの実行が頻繁に検出されることを抑制することができる技術を提供する。【解決手段】本発明の校正装置は、表示装置の画面からの光の測定値である第１測定値を取得する第１取得手段と、前記表示装置に対する外光の測定値である第２測定値を取得する第２取得手段と、前記第２取得手段で取得された前記第２測定値に基づいて前記第１測定値の許容範囲を決定する決定手段と、前記第１取得手段で取得された前記第１測定値が、前記決定手段で決定された許容範囲内の値であるか否かを判断する判断手段と、を有する。【選択図】図１
2015152622.tif 000002
【特許請求の範囲】
【請求項１】
表示装置の画面からの光の測定値である第１測定値を用いて前記表示装置のキャリブレーションを実行する校正装置であって、
表示装置の画面からの光の測定値である第１測定値を取得する第１取得手段と、
前記表示装置に対する外光の測定値である第２測定値を取得する第２取得手段と、
前記第２取得手段で取得された前記第２測定値に基づいて前記第１測定値の許容範囲を決定する決定手段と、
前記第１取得手段で取得された前記第１測定値が、前記決定手段で決定された許容範囲内の値であるか否かを判断する判断手段と、
を有することを特徴とする校正装置。
【請求項２】
前記判断手段は、前記第１取得手段で取得された前記第１測定値が前記決定手段で決定された許容範囲外の値である場合に、前記第１測定値が不適切な値であると判断し、前記第１取得手段で取得された前記第１測定値が前記決定手段で決定された許容範囲内の値である場合に、前記第１測定値が不適切な値でないと判断する
ことを特徴とする請求項１に記載の校正装置。
【請求項３】
前記第２測定値は、前記外光の明るさを表す値であり、
前記決定手段は、前記外光が明るいほど広い許容範囲を決定する
ことを特徴とする請求項１または２に記載の校正装置。
【請求項４】
前記決定手段は、前記第１測定値の目標値と、前記第２取得手段で取得された前記第２測定値と、に基づいて、前記許容範囲を決定する
ことを特徴とする請求項１〜３のいずれか１項に記載の校正装置。
【請求項５】
前記表示装置は、所定の画像処理を画像に施し、前記所定の画像処理が施された画像を表示する装置であり、
前記校正装置は、前記所定の画像処理に基づいて前記第１測定値の目標値を決定する目標決定手段をさらに有する
ことを特徴とする請求項４に記載の校正装置。
【請求項６】
前記所定の画像処理はガンマ補正処理を含み、
前記目標決定手段は、グレー色の階調値、白色の階調値、前記ガンマ補正処理のガンマ値、及び、前記白色に関する第１測定値の目標値である白色目標値に基づいて、前記グレー色に関する第１測定値の目標値を決定する
ことを特徴とする請求項５に記載の校正装置。
【請求項７】
前記白色目標値は、予め定められた値である
ことを特徴とする請求項６に記載の校正装置。
【請求項８】
前記決定手段は、前記グレー色に関する許容範囲として、前記白色目標値が大きいほど広い許容範囲を決定する
ことを特徴とする請求項６または７に記載の校正装置。
【請求項９】
前記第１測定値は、ＸＹＺ三刺激値であり、
前記決定手段は、前記第２測定値に基づいて、Ｘ値、Ｙ値、及び、Ｚ値のそれぞれについて許容範囲を決定する
ことを特徴とする請求項１〜８のいずれか１項に記載の校正装置。
【請求項１０】
前記決定手段は、前記画面にグレア加工が施されている場合に、前記画面にノングレア加工が施されている場合よりも広い許容範囲を決定する
ことを特徴とする請求項１〜９のいずれか１項に記載の校正装置。
【請求項１１】
前記画面に施されている表面加工の種類を表す加工情報を取得する加工取得手段と、
前記加工情報に基づいて、前記画面にグレア加工が施されているか、前記画面にノングレア加工が施されているか、を判断する加工判断手段と、
をさらに有する
ことを特徴とする請求項１０に記載の校正装置。
【請求項１２】
前記判断手段で前記第１測定値が前記許容範囲内の値でないと判断された場合に、前記表示装置のキャリブレーションを強制終了する制御手段をさらに有する
ことを特徴とする請求項１〜１１のいずれか１項に記載の校正装置。
【請求項１３】
前記判断手段で前記第１測定値が前記許容範囲内の値でないと判断された場合に、前記判断手段の判断結果に関する情報をユーザに通知する通知手段をさらに有する
ことを特徴とする請求項１〜１２のいずれか１項に記載の校正装置。
【請求項１４】
表示装置の画面からの光の測定値である第１測定値を用いて前記表示装置のキャリブレーションを実行する校正装置の制御方法であって、
表示装置の画面からの光の測定値である第１測定値を取得する第１取得ステップと、
前記表示装置に対する外光の測定値である第２測定値を取得する第２取得ステップと、
前記第２取得ステップで取得された前記第２測定値に基づいて前記第１測定値の許容範囲を決定する決定ステップと、
前記第１取得ステップで取得された前記第１測定値が、前記決定ステップで決定された許容範囲内の値であるか否かを判断する判断ステップと、
を有することを特徴とする校正装置の制御方法。
【請求項１５】
前記判断ステップでは、前記第１取得ステップで取得された前記第１測定値が前記決定ステップで決定された許容範囲外の値である場合に、前記第１測定値が不適切な値であると判断し、前記第１取得ステップで取得された前記第１測定値が前記決定ステップで決定された許容範囲内の値である場合に、前記第１測定値が不適切な値でないと判断する
を有することを特徴とする請求項１４に記載の校正装置の制御方法。
【請求項１６】
前記第２測定値は、前記外光の明るさを表す値であり、
前記決定ステップでは、前記外光が明るいほど広い許容範囲を決定する
ことを特徴とする請求項１４または１５に記載の校正装置の制御方法。
【請求項１７】
前記決定ステップでは、前記第１測定値の目標値と、前記第２取得ステップで取得された前記第２測定値と、に基づいて、前記許容範囲を決定する
ことを特徴とする請求項１４〜１６のいずれか１項に記載の校正装置の制御方法。
【請求項１８】
前記表示装置は、所定の画像処理を画像に施し、前記所定の画像処理が施された画像を表示する装置であり、
前記校正装置の制御方法は、前記所定の画像処理に基づいて前記第１測定値の目標値を決定する目標決定ステップをさらに有する
ことを特徴とする請求項１７に記載の校正装置の制御方法。
【請求項１９】
前記所定の画像処理はガンマ補正処理を含み、
前記目標決定ステップでは、グレー色の階調値、白色の階調値、前記ガンマ補正処理の
ガンマ値、及び、前記白色に関する第１測定値の目標値である白色目標値に基づいて、前記グレー色に関する第１測定値の目標値を決定する
ことを特徴とする請求項１８に記載の校正装置の制御方法。
【請求項２０】
前記白色目標値は、予め定められた値である
ことを特徴とする請求項１９に記載の校正装置の制御方法。
【請求項２１】
前記決定ステップでは、前記グレー色に関する許容範囲として、前記白色目標値が大きいほど広い許容範囲を決定する
ことを特徴とする請求項１９または２０に記載の校正装置の制御方法。
【請求項２２】
前記第１測定値は、ＸＹＺ三刺激値であり、
前記決定ステップでは、前記第２測定値に基づいて、Ｘ値、Ｙ値、及び、Ｚ値のそれぞれについて許容範囲を決定する
ことを特徴とする請求項１４〜２１のいずれか１項に記載の校正装置の制御方法。
【請求項２３】
前記決定ステップでは、前記画面にグレア加工が施されている場合に、前記画面にノングレア加工が施されている場合よりも広い許容範囲を決定する
ことを特徴とする請求項１４〜２２のいずれか１項に記載の校正装置の制御方法。
【請求項２４】
前記画面に施されている表面加工の種類を表す加工情報を取得する加工取得ステップと、
前記加工情報に基づいて、前記画面にグレア加工が施されているか、前記画面にノングレア加工が施されているか、を判断する加工判断ステップと、
をさらに有する
ことを特徴とする請求項２３に記載の校正装置の制御方法。
【請求項２５】
前記判断ステップで前記第１測定値が前記許容範囲内の値でないと判断された場合に、前記表示装置のキャリブレーションを強制終了する制御ステップをさらに有する
ことを特徴とする請求項１４〜２４のいずれか１項に記載の校正装置の制御方法。
【請求項２６】
前記判断ステップで前記第１測定値が前記許容範囲内の値でないと判断された場合に、前記判断ステップの判断結果に関する情報をユーザに通知する通知ステップをさらに有する
ことを特徴とする請求項１４〜２５のいずれか１項に記載の校正装置の制御方法。
【請求項２７】
請求項１４〜２６のいずれか１項に記載の校正装置の制御方法の各ステップをコンピュータに実行させることを特徴とするプログラム。
【発明の詳細な説明】
【技術分野】
【０００１】
本発明は、校正装置、校正装置の制御方法、及び、プログラムに関する。
【背景技術】
【０００２】
表示装置の表示特性を所望の特性に近づける技術として、キャリブレーションが知られている。キャリブレーションにおいては、評価画像（パッチ画像）が表示装置に表示され、測光器により評価画像の光学特性（例えば、画面上の輝度や色）が測定される。そして、測定された光学特性が所望の特性に近づくように、評価画像の画質が調整される。例えば、画像処理に使用するパラメータの値を調整することにより、画質が調整される。評価画像の表示、測定、画質調整をくり返し行うことにより、表示装置の表示特性を所望の特性に近づける（維持する）ことができる。
【０００３】
キャリブレーションに関する従来技術は、例えば、特許文献１に開示されている。特許文献１には、非接触型測光器を用いて、外光（環境光；表示面からの光以外の光）の影響を考慮したキャリブレーションを行う技術が開示されている。
【０００４】
外付けの測光器（表示装置の外側に設置された測光器）を用いてキャリブレーションを適切（正常）に実施するためには、測光器が正しく設置されている必要がある。具体的には、測光器と表示装置の表示面（画面）との間隔が大きすぎたり、測光器の受光方向が表示面に対して斜めに設置されていたりすると、正しい測定結果（表示面からの光の測定結果）が得られないことがある。具体的には、測光器の受光部に表示面からの光が届かなかったり、外光が受光部に入り込んだりしてしまい、正しい測定結果が得られないことがある。誤った測定結果が得られてしまうと、誤ったキャリブレーション結果が得られてしまう。その結果、キャリブレーションによって表示特性が所望の特性から離れてしまうことがある。そして、表示特性が所望の特性からずれた表示装置を用いてユーザが画像編集を行うと、編集後の画像として所望の画像とは異なる画像が得られてしまう虞がある。例えば、編集後の所望の色とは異なる色の画像が得られてしまう虞がある。
【０００５】
上記の課題を解決するための従来技術として、測光器の設置不良を検出する技術が知られている。例えば、期待される測定値（測光器の測定）の範囲である期待範囲を設定し、期待範囲外の測定値（不適切な値；異常値）が得られた場合に、測光器の設置不良が生じていると判断する技術が知られている。測光器の設置不良が生じている場合に、キャリブレーションを強制終了させることにより、誤ったキャリブレーション結果が表示特性に反映されることを抑制することができる。
【０００６】
しかしながら、設置不良を精度よく検出するために狭い期待範囲を設定すると、わずかな測定値の変化によって測定値が期待範囲外の値になってしまう。そのため、外光の影響を受けにくい暗室環境下では、設置不良を精度良く検出することができるが、外光の影響を受けやすい環境下では、設置不良が頻繁に検出されてしまい、キャリブレーションが頻繁に強制終了されてしまう。
【先行技術文献】
【特許文献】
【０００７】
【特許文献１】特開２００５−２４９５９６号公報
【発明の概要】
【発明が解決しようとする課題】
【０００８】
本発明は、測光器の設置不良などによる不適切なキャリブレーションの実行を高精度に検出することができ、且つ、不適切なキャリブレーションの実行が頻繁に検出されることを抑制することができる技術を提供することを目的とする。
【課題を解決するための手段】
【０００９】
本発明の第１の態様は、
表示装置の画面からの光の測定値である第１測定値を用いて前記表示装置のキャリブレーションを実行する校正装置であって、
表示装置の画面からの光の測定値である第１測定値を取得する第１取得手段と、
前記表示装置に対する外光の測定値である第２測定値を取得する第２取得手段と、
前記第２取得手段で取得された前記第２測定値に基づいて前記第１測定値の許容範囲を決定する決定手段と、
前記第１取得手段で取得された前記第１測定値が、前記決定手段で決定された許容範囲内の値であるか否かを判断する判断手段と、
を有することを特徴とする校正装置である。
【００１０】
本発明の第２の態様は、
表示装置の画面からの光の測定値である第１測定値を用いて前記表示装置のキャリブレーションを実行する校正装置の制御方法であって、
表示装置の画面からの光の測定値である第１測定値を取得する第１取得ステップと、
前記表示装置に対する外光の測定値である第２測定値を取得する第２取得ステップと、
前記第２取得ステップで取得された前記第２測定値に基づいて前記第１測定値の許容範囲を決定する決定ステップと、
前記第１取得ステップで取得された前記第１測定値が、前記決定ステップで決定された許容範囲内の値であるか否かを判断する判断ステップと、
を有することを特徴とする校正装置の制御方法である。
【００１１】
本発明の第３の態様は、上述した校正装置の制御方法の各ステップをコンピュータに実行させることを特徴とするプログラムである。
【発明の効果】
【００１２】
本発明によれば、測光器の設置不良などによる不適切なキャリブレーションの実行を高精度に検出することができ、且つ、不適切なキャリブレーションの実行が頻繁に検出されることを抑制することができる。
【図面の簡単な説明】
【００１３】
【図１】実施例１に係る表示装置の機能構成の一例を示す図
【図２】実施例１に係るキャリブレーションの処理フローの一例を示す図
【図３】実施例１に係る判断処理の処理フローの一例を示す図
【発明を実施するための形態】
【００１４】
＜実施例１＞
以下、本発明の実施例１に係る校正装置及びその制御方法について説明する。本実施例に係る校正装置は、表示装置の画面からの光の測定値である第１測定値を用いて、表示装置のキャリブレーションを実行する。
なお、本実施例では、校正装置が表示装置に設けられている場合の例を説明するが、校正装置は表示装置とは別体の装置であってもよい。
【００１５】
図１は、本実施例に係る表示装置の機能構成の一例を示すブロック図である。
【００１６】
パッチ生成部１０１は、キャリブレーションにおける画質評価の対象（評価対象）であるパッチ画像を生成する。本実施例では、パッチ画像として、各画素値が互いに等しい画像（色及び輝度が均一な画像）が生成される。
なお、パッチ画像の生成は、キャリブレーションの実行時にのみ行われてもよいし、常時行われてもよい。
なお、評価対象はパッチ画像に限らない。評価対象はアイコン、写真、イラスト、等であってもよい。また、パッチ画像は複数の画素値を有していてもよい。評価対象の画素値は、メーカによって予め定められた固定値であってもよいし、そうでなくてもよい。例えば、評価対象として、ユーザが指定した画素値を有するパッチ画像が生成されてもよい。
【００１７】
選択部１０２は、本実施例に係る表示装置に入力された画像（入力画像）と、パッチ生成部１０１で生成されたパッチ画像と、の一方を選択し、選択した画像を画像処理部１０３に出力する。本実施例では、キャリブレーションの実行時にパッチ画像が選択され、それ以外のときに入力画像が選択される。
なお、校正装置が表示装置とは別体の装置である場合には、選択部１０２は校正装置に設けられていてもよいし、表示装置に設けられていてもよい。
【００１８】
画像処理部１０３は、選択部１０２から出力された画像に所定の画像処理を施すことにより、表示用画像を生成する。画像処理部１０３は、例えば、ＬＳＩなどの電子回路である。所定の画像処理は、例えば、ゲイン処理、オフセット処理、ガンマ補正処理（ガンマ変換処理）、ＬＵＴ（Ｌｏｏｋ  Ｕｐ  Ｔａｂｌｅ）変換処理、などである。本実施例では、処理の画像処理が少なくともガンマ補正処理を含む場合について説明する。
なお、所定の画像処理は、１種類の画像処理であってもよいし、複数種類の画像処理を含んでいてもよい。
なお、校正装置が表示装置とは別体の装置である場合には、画像処理部１０３は校正装置ではなく表示装置に設けられる。
【００１９】
表示部１０４は、画像処理部１０３で生成された表示用画像（所定の画像処理が施された画像）を表示する。表示部１０４としては、液晶表示パネル、プラズマ表示パネル、有機ＥＬ表示パネル、等を使用することができる。
本実施例では、キャリブレーションによって、所定の画像処理で使用されるパラメータの値（パラメータ値）が調整される。キャリブレーションの実行後に選択部１０２が入力画像を選択することにより、入力画像に基づく表示画像（画面に表示された画像）として、所望の画質の画像を得ることができる。
【００２０】
第１測光部１０５は、本実施例に係る表示装置の画面からの光（画面光）を測定することにより、第１測定値を取得する第１取得部である。本実施例では、画面の領域のうち、パッチ画像が表示された領域から発せられた光の測定値が、第１測定値として取得される。第１測定値として、例えば、画面光のＸＹＺ三刺激値が取得される。画面光の測定は、例えば、光センサを用いて行われる。
なお、第１測定値の取得は、キャリブレーションの実行時にのみ行われてもよいし、常時行われてもよい。
なお、本実施例では、第１測光部１０５によって画面光の測定が行われる例を説明するが、これに限らない。本実施例に係る校正装置や表示装置とは別体の第１測光装置によって画面光が測定され、第１測光部１０５が第１測光装置から第１測定値を取得してもよい。
なお、第１測定値はＸＹＺ三刺激値に限らない。例えば、第１測定値として、ＹＣｂＣｒ値、ＲＧＢ値、等が取得されてもよい。第１測定値として、画面光の明るさのみを表す値（例えばＹ値）が取得されてもよいし、画面光の色のみを表す値（例えばＣｂ値とＣｒ値）が取得されてもよい。
【００２１】
パラメータ調整部１０６は、キャリブレーションの実行時に、第１測光部１０５で取得された第１測定値を用いて、表示装置の表示特性が所望の特性に近づくように、所定の画像処理で使用されるパラメータ値を調整する。
また、パラメータ調整部１０６は、キャリブレーションの実行時に、パッチ生成部１０１に対してパッチ画像の生成を指示する。パッチ生成部１０１は、パラメータ調整部１０６からの指示に応じてパッチ画像を生成する。そして、選択部１０２は、パッチ生成部１０１がパッチ画像を生成しているときにパッチ画像を選択し、それ以外のときに入力画像を選択する。
なお、キャリブレーションの実行時に、パラメータ調整部１０６から選択部１０２にパッチ画像の選択が指示されてもよい。
【００２２】
本実施例では、パッチ画像の表示、第１測定値の取得、及び、パラメータ値の調整を行うことにより表示装置の表示特性を所望の特性に近づける処理が、キャリブレーションに相当する。
なお、パッチ画像の表示、第１測定値の取得、及び、パラメータ値の調整を繰り返し行うことにより、表示装置の表示特性を所望の特性により近づけることができる。
なお、第１測定値を用いたパラメータ値の調整を、キャリブレーションと呼ぶこともできる。
なお、キャリブレーションの実行タイミングは特に限定されない。例えば、定期的にキャリブレーションが実行されてもよいし、ユーザがキャリブレーションの実行を指示したタイミングでキャリブレーションが実行されてもよい。
【００２３】
第２測光部１１０は、本実施例に係る表示装置に対する外光を測定することにより、第２測定値を取得する第２取得部である。第２測定値として、例えば、外光のＸＹＺ三刺激値が取得される。外光の測定は、例えば、光センサを用いて行われる。
なお、第２測定値の取得は、キャリブレーションの実行時にのみ行われてもよいし、常時行われてもよい。
なお、本実施例では、第２測光部１１０によって外光の測定が行われる例を説明するが、これに限らない。本実施例に係る校正装置や表示装置とは別体の第２測光装置によって外光が測定され、第２測光部１１０が第２測光装置から第２測定値を取得してもよい。
なお、第２測定値はＸＹＺ三刺激値に限らない。例えば、第２測定値として、ＹＣｂＣｒ値、ＲＧＢ値、等が取得されてもよい。第２測定値として、外光の明るさのみを表す値（例えばＹ値）が取得されてもよい。
【００２４】
許容範囲決定部１１１は、第２測光部１１０で取得された第２測定値に基づいて、第１測定値の許容範囲を決定する。具体的には、許容範囲決定部１１１は、パラメータ調整部１０６から、パッチ画像の画素値、白色に関する第１測定値の目標値である白色目標値、及び、ガンマ補正処理で使用される現在のガンマ値を取得する。また、許容範囲決定部１１１は、第２測光部１１０から第２測定値を取得する。そして、許容範囲決定部１１１は、取得したそれらの情報を用いて許容範囲を決定する。許容範囲は、第１測定値の期待値の範囲である。許容範囲は、許容可能な第１測定値の範囲ということもできる。
なお、許容範囲の決定には、上述した情報以外の情報が使用されてもよい。また、許容範囲の決定には、上述した情報の一部が使用されなくてもよい。例えば、第２測定値のみから許容範囲が決定されてもよい。
なお、白色目標値は、メーカによって予め定められた固定値であってもよいし、そうでなくてもよい。例えば、白色目標値はユーザが設定及び変更可能な値であってもよい。また、校正装置が、第２測定値、所定の画像処理、等に基づいて白色目標値を決定する決定部を有していてもよい。
【００２５】
測定値判断部１１２は、第１測光部１０５で取得された第１測定値と、許容範囲決定部１１１で決定された許容範囲と、を比較し、第１測光部１０５で取得された第１測定値が不適切な値（例えば、誤差が非常に大きい異常値）であるか否かを判断する。具体的には、測定値判断部１１２は、第１測光部１０５で取得された第１測定値が、許容範囲決定部１１１で決定された許容範囲内の値であるか否かを判断する。測定値判断部１１２は、第１測光部１０５で取得された第１測定値が許容範囲決定部１１１で決定された許容範囲内の値である場合に、第１測定値が適切な値である（不適切な値でない）と判断する。そして、測定値判断部１１２は、第１測光部１０５で取得された第１測定値が許容範囲決定部１１１で決定された許容範囲外の値である場合に、第１測定値が不適切な値であると判断する。
【００２６】
第１測定値が不適切な値であると判断された場合には、例えば、不図示の制御部からの指示によってキャリブレーションが強制終了される。それにより、第１測定値が不適切な値であることによって不適切（異常）なキャリブレーションが実行されてしまう場合に、不適切なキャリブレーションの結果が表示に反映されることを抑制することができる。
なお、校正装置が、第１測定値が不適切な値であると判断された場合に、その判断結果に関する情報をユーザへ通知する通知部を有していてもよい。例えば、第１測定値が不適切な値であると判断された場合に、キャリブレーションが強制終了されるのではなく、不適切なキャリブレーションが実行されたことがユーザに通知されてもよい。換言すれば、キャリブレーションが適切（正常）に行われていないことがユーザに通知されてもよい。第１測定値が不適切な値であること、表示装置の設置環境が不適切であること、第１測光部１０５（第１測光装置）の設置位置が不適切であること、等がユーザに通知されてもよい。それにより、適切な環境下でのキャリブレーションの再実行をユーザに促すことができる。キャリブレーションの強制終了とユーザへの通知との両方が行われてもよい。それにより、キャリブレーションが強制終了された理由をユーザに把握させることができる。
ユーザへの通知は、例えば、音声や光を用いて行うことができる。具体的には、通知内容に応じた画像（メッセージ、アイコン、等）を画面に表示することで、ユーザへの通知を行うことができる。また、通知内容に応じた音声を発したり、通知内容に応じた点滅パターン（連続点灯を含む）や色で画面外に設けられた光源を点灯させたりすることにより、ユーザへの通知を行うことができる。
【００２７】
図２を用いて、本実施例に係るキャリブレーションの処理フローの一例を説明する。図２は、本実施例に係るキャリブレーションの処理フローの一例を示すフローチャートである。
【００２８】
まず、白色の表示輝度（画面上の輝度）が調整される（Ｓ２０１）。本実施例では、画素値として、Ｒ値、Ｇ値、及び、Ｂ値のそれぞれが８ビットの値であるＲＧＢ値が使用される。そして、Ｒ値＝Ｇ値＝Ｂ値＝２５５のＲＧＢ値が、所定の画像処理前の白色の画素値として使用される。Ｓ２０１では、白色の画素値を有するパッチ画像が表示され、白色の第１測定値が取得され、白色の第１測定値に基づいてパラメータ値が調整される。例えば、白色の第１測定値が白色目標値に一致するようにパラメータ値が調整される。それにより、白色の表示輝度が調整される。
なお、パラメータ値の調整は、第１測定値が不適切な値でないと判断された場合にのみ行われてもよい。
なお、画素値のビット数は８ビットより多くても少なくてもよい。
なお、表示装置がカラー表示可能な表示装置である場合には、Ｓ２０１においてホワイトバランス（白色の表示色（画面上の色））も調整されることが好ましい。
【００２９】
次に、黒色の第１測定値が不適切な値であるか否かが判断される（Ｓ２０２；黒色判断処理）。本実施例では、Ｒ値＝Ｇ値＝Ｂ値＝０のＲＧＢ値が黒色の画素値として使用され
る。Ｓ２０２では、黒色の画素値を有するパッチ画像が表示され、黒色の第１測定値が取得され、黒色の第１測定値が不適切な値であるか否かが判断される。
なお、Ｓ２０２では、黒色の第１測定値を取得する処理が行われずに、Ｓ２０２の処理よりも前に取得された黒色の第１測定値が不適切な値であるか否かが判断されてもよい。
【００３０】
そして、白色の第１測定値が不適切な値であるか否かが判断される（Ｓ２０３；白色判断処理）。Ｓ２０３では、白色の画素値を有するパッチ画像が表示され、白色の第１測定値が取得され、白色の第１測定値が不適切な値であるか否かが判断される。
なお、Ｓ２０３では、白色の第１測定値を取得する処理が行われずに、Ｓ２０１で取得された白色の第１測定値が不適切な値であるかが判断されてもよい。
【００３１】
次に、ガンマ補正処理におけるガンマ特性が調整される（Ｓ２０４）。ガンマ特性は、黒色から白色までの複数の無彩色について、ガンマ補正処理前の画素値とガンマ補正処理後の画素値との対応関係を表す特性である。本実施例では、Ｒ値＝Ｇ値＝Ｂ値のＲＧＢ値が、所定の画像処理前の無彩色の画素値として使用される。Ｓ２０４では、複数の無彩色について、無彩色の画素値を有するパッチ画像を表示し、無彩色の第１測定値を取得する処理が行われる。そして、複数の無彩色に対応する複数の第１測定値に基づいて、ガンマ補正処理におけるガンマ値が調整される。それにより、無彩色の表示輝度が調整され、ガンマ特性が調整される。
Ｓ２０４の処理は、無彩色の表示輝度を調整する処理ということもできる。
本実施例では、白色と黒色以外の無彩色をグレー色と記載する。
なお、表示装置がカラー表示可能な表示装置である場合には、Ｓ２０４において無彩色の表示色も調整されることが好ましい。
【００３２】
そして、ガンマ特性が不適切な特性であるか否かが判断される（Ｓ２０５；ガンマ判断処理）。Ｓ２０５では、複数の無彩色について、無彩色の画素値を有するパッチ画像を表示し、無彩色の第１測定値を取得し、無彩色の第１測定値が不適切な値であるか否かを判断する処理が行われる。
Ｓ２０５の処理は、無彩色の第１測定値が不適切な値であるか否かを判断する処理ということもできる。
なお、Ｓ２０５では、無彩色の第１測定値を取得する処理が行われずに、Ｓ２０４で取得された無彩色の第１測定値が不適切な値であるかが判断されてもよい。
【００３３】
次に、表示色の色域が調整される（Ｓ２０６）。
Ｓ２０６では、赤色の画素値（Ｒ値≠０でありＧ値＝Ｂ値＝０であるＲＧＢ値）を有するパッチ画像が表示され、赤色の第１測定値が取得され、赤色の第１測定値に基づいてパラメータ値が調整される。本実施例では、赤色の画素値を有するパッチ画像として、Ｒ値＝２５５でありＧ値＝Ｂ値＝０であるＲＧＢ値を有するパッチ画像が表示される。
また、Ｓ２０６では、緑色の画素値（Ｇ値≠０でありＲ値＝Ｂ値＝０であるＲＧＢ値）を有するパッチ画像が表示され、緑色の第１測定値が取得され、緑色の第１測定値に基づいてパラメータ値が調整される。本実施例では、緑色の画素値を有するパッチ画像として、Ｇ値＝２５５でありＲ値＝Ｂ値＝０であるＲＧＢ値を有するパッチ画像が表示される。
また、Ｓ２０６では、青色の画素値（Ｂ値≠０でありＲ値＝Ｇ値＝０であるＲＧＢ値）を有するパッチ画像が表示され、青色の第１測定値が取得され、青色の第１測定値に基づいてパラメータ値が調整される。本実施例では、青色の画素値を有するパッチ画像として、Ｂ値＝２５５でありＲ値＝Ｇ値＝０であるＲＧＢ値を有するパッチ画像が表示される。
Ｓ２０６の処理は、表示装置がカラー表示可能な表示装置である場合にのみ実行すれよい。
【００３４】
そして、表示色の色域が不適切な色域であるか否かが判断される（Ｓ２０７；色域判断
処理）。Ｓ２０７では、赤色、緑色、及び、青色について、パッチ画像を表示し、第１測定値を取得し、第１測定値が不適切な値であるか否かを判断する処理が行われる。
なお、Ｓ２０７では、第１測定値を取得する処理が行われずに、Ｓ２０６で取得された第１測定値が不適切な値であるかが判断されてもよい。Ｓ２０７の処理は、表示装置がカラー表示可能な表示装置である場合にのみ実行すれよい。
【００３５】
図２のＳ２０２、Ｓ２０３、Ｓ２０５、及び、Ｓ２０７の処理フローについて、図３を用いて詳しく説明する。図３は、Ｓ２０２、Ｓ２０３、Ｓ２０５、及び、Ｓ２０７の処理フローの一例を示すフローチャートである。
【００３６】
＜黒色判断処理＞
黒色判断処理（Ｓ２０２の処理）の処理フローについて説明する。
【００３７】
まず、第１測光部１０５が、黒色の第１測定値を取得する（Ｓ３０１）。具体的には、パッチ生成部１０１が黒色の画素値（（Ｒ値，Ｇ値，Ｂ値）＝（０，０，０）の画素値）を有するパッチ画像を生成する。そして、生成されたパッチ画像が表示され、第１測光部１０５が、黒色の画素値を有するパッチ画像の領域からの光の測定値を、黒色の第１測定値として取得する。なお、生成されたパッチ画像は、画像処理部１０３で画像処理（Ｓ２０１の調整後のパラメータ値を用いた画像処理）を施されて表示されてもよいし、画像処理部１０３で画像処理を施されず表示されてもよい。
【００３８】
次に、第２測光部１１０が、外光を測定し、第２測定値を取得する（Ｓ３０２）。
【００３９】
そして、許容範囲決定部１１１が、Ｓ３０２で取得された第２測定値に基づいて、黒色に関する許容範囲を決定する（Ｓ３０３）。本実施例では、以下の式１を用いて、黒色に関する許容範囲に対応するＹ値の範囲の上限値Ｙ＿ｍａｘが算出される。そして、以下の式２を用いて、黒色に関する許容範囲に対応するＹ値の範囲の下限値Ｙ＿ｍｉｎが算出される。式１において、Ｋは予め設定された係数であり、ＬはＳ３０２で取得された第２測定値が表す明るさ（外光の明るさ）である。
Ｙ＿ｍａｘ＝Ｋ×Ｌ  ・・・（式１）
Ｙ＿ｍｉｎ＝０  ・・・（式２）
【００４０】
係数Ｋは、例えば、表示装置の設計時や製造時に実験によって決定された値である。例えば、照度が５００ルクス程度の環境下で、第２測定値と、（Ｒ値，Ｇ値，Ｂ値）＝（０，０，０）のパッチ画像の第１測定値と、が取得される。Ｓ３０１において、生成されたパッチ画像が、画像処理部１０３で画像処理（Ｓ２０１の調整後のパラメータ値を用いた画像処理）を施されて表示される場合は、表示装置に暗室環境下でキャリブレーションを施した状態で、第１測定値を取得する。Ｓ３０１において、生成されたパッチ画像が、画像処理部１０３で画像処理を施されず表示される場合は、表示装置にキャリブレーションを施こさない状態（画像処理部１０３が入力値に変化を加えず出力値として入力値と同じ値を出力する状態）で、第１測定値を取得する。そして、以下の式３を用いて係数Ｋが算出される。式３において、Ｙ’は、取得した第１測定値が表すＹ値であり、Ｌ’は、取得した第２測定値が表す明るさである。
Ｋ＝２×Ｙ’／Ｌ’  ・・・（式３）
なお、係数Ｋは、本実施例に係る校正装置によって決定されてもよい。例えば、校正装置が、式３を用いて、予め用意されたＹ’とＬ’からＫを算出してもよい。また、校正装
置が、Ｙ’とＬ’を取得し、取得したＹ’とＬ’からＫを算出してもよい。
【００４１】
Ｓ３０３の次に、測定値判断部１１２が、Ｓ３０１で取得された第１測定値が表すＹ値が下限値Ｙ＿ｍｉｎ以上、かつ、上限値Ｙ＿ｍａｘ以下の値であるか否かを判断する（Ｓ３０４）。測定値判断部１１２は、Ｓ３０１で取得された第１測定値が表すＹ値が下限値Ｙ＿ｍｉｎ以上、かつ、上限値Ｙ＿ｍａｘ以下の値である場合には、黒色の第１測定値は不適切な値でないと判断する。そして、測定値判断部１１２は、Ｓ３０１で取得された第１測定値が表すＹ値が下限値Ｙ＿ｍｉｎ未満、または、上限値Ｙ＿ｍａｘより大きい値である場合には、黒色の第１測定値が不適切な値であると判断する。
【００４２】
＜白色判断処理＞
白色判断処理（Ｓ２０３の処理）の処理フローについて説明する。
【００４３】
まず、第１測光部１０５が、白色の第１測定値を取得する（Ｓ３０１）。具体的には、パッチ生成部１０１が白色の画素値（（Ｒ値，Ｇ値，Ｂ値）＝（２５５，２５５，２５５）の画素値）を有するパッチ画像を生成する。そして、生成されたパッチ画像が表示され、第１測光部１０５が、白色の画素値を有するパッチ画像の領域からの光の測定値を、白色の第１測定値として取得する。なお、生成されたパッチ画像は、画像処理部１０３で画像処理（Ｓ２０１の調整後のパラメータ値を用いた画像処理）を施されて表示されてもよいし、画像処理部１０３で画像処理を施されず表示されてもよい。
【００４４】
次に、第２測光部１１０が、外光を測定し、第２測定値を取得する（Ｓ３０２）。
【００４５】
そして、許容範囲決定部１１１が、白色目標値とＳ３０２で取得された第２測定値とに基づいて、白色に関する許容範囲を決定する（Ｓ３０３）。白色目標値は、パラメータ調整部１０６から取得される。本実施例では、以下の式４を用いて、白色に関する許容範囲に対応するＹ値の範囲の上限値Ｙ＿ｍａｘが算出される。そして、以下の式２を用いて、白色に関する許容範囲に対応するＹ値の範囲の下限値Ｙ＿ｍｉｎが算出される。式４，５において、Ｋは予め設定された係数であり、ＬはＳ３０２で取得された第２測定値が表す明るさ（外光の明るさ）であり、Ｙ＿２５５は白色目標値が表すＹ値である。
Ｙ＿ｍａｘ＝Ｙ＿２５５＋Ｋ×Ｌ  ・・・（式４）
Ｙ＿ｍｉｎ＝Ｙ＿２５５−Ｋ×Ｌ  ・・・（式５）
【００４６】
係数Ｋは、例えば、表示装置の設計時や製造時に実験によって決定された値である。例えば、照度が５００ルクス程度の環境下で、第２測定値と、（Ｒ値，Ｇ値，Ｂ値）＝（２５５，２５５，２５５）のパッチ画像の第１測定値と、が取得される。Ｓ３０１において、生成されたパッチ画像が、画像処理部１０３で画像処理（Ｓ２０１の調整後のパラメータ値を用いた画像処理）を施されて表示される場合は、表示装置に暗室環境下でキャリブレーションを施した状態で、第１測定値を取得する。Ｓ３０１において、生成されたパッチ画像が、画像処理部１０３で画像処理を施されず表示される場合は、表示装置にキャリブレーションを施こさない状態（画像処理部１０３が入力値に変化を加えず出力値として入力値と同じ値を出力する状態）で、第１測定値を取得する。そして、以下の式６を用いて係数Ｋが算出される。式６において、Ｙ’は、取得した第１測定値が表すＹ値であり、Ｌ’は、取得した第２測定値が表す明るさであり、Ｙ＿２５５’は暗室環境に対応する白色目標値が表すＹ値である。｜Ｙ’−Ｙ＿２５５’｜はＹ’−Ｙ＿２５５’の絶対値である。
Ｋ＝２×｜Ｙ’−Ｙ＿２５５’｜／Ｌ’  ・・・（式６）
なお、係数Ｋは、本実施例に係る校正装置によって決定されてもよい。例えば、校正装置が、式６を用いて、予め用意されたＹ’、Ｌ’、及び、Ｙ＿２５５’からＫを算出してもよい。また、校正装置が、Ｙ’、Ｌ’、及び、Ｙ＿２５５’を取得し、取得したＹ’、Ｌ’、及び、Ｙ＿２５５’からＫを算出してもよい。
【００４７】
Ｓ３０３の次に、測定値判断部１１２が、Ｓ３０１で取得された第１測定値が表すＹ値が下限値Ｙ＿ｍｉｎ以上、かつ、上限値Ｙ＿ｍａｘ以下の値であるか否かを判断する（Ｓ３０４）。測定値判断１１２は、Ｓ３０１で取得された第１測定値が表すＹ値が下限値Ｙ＿ｍｉｎ以上、かつ、上限値Ｙ＿ｍａｘ以下の値である場合には、白色の第１測定値は不適切な値でないと判断する。そして、測定値判断部１１２は、Ｓ３０１で取得された第１測定値が表すＹ値が下限値Ｙ＿ｍｉｎ未満、または、上限値Ｙ＿ｍａｘより大きい値である場合には、白色の第１測定値が不適切な値であると判断する。
【００４８】
＜ガンマ判断処理＞
ガンマ判断処理（Ｓ２０５の処理）の処理フローについて説明する。以下では、１つの無彩色に関する処理について説明する。
【００４９】
まず、第１測光部１０５が、無彩色の第１測定値を取得する（Ｓ３０１）。具体的には、パッチ生成部１０１が無彩色の画素値（（Ｒ値，Ｇ値，Ｂ値）＝（ｉ，ｉ，ｉ）の画素値）を有するパッチ画像を生成する。そして、生成されたパッチ画像が表示され、第１測光部１０５が、無彩色の画素値を有するパッチ画像の領域からの光の測定値を、無彩色の第１測定値として取得する。なお、生成されたパッチ画像は、画像処理部１０３で画像処理（Ｓ２０１およびＳ２０４の調整後のパラメータ値を用いた画像処理）を施されて表示されてもよいし、画像処理部１０３で画像処理を施されず表示されてもよい。本実施例では、ｉは０以上２５５以下の値である。
【００５０】
次に、第２測光部１１０が、外光を測定し、第２測定値を取得する（Ｓ３０２）。
【００５１】
そして、許容範囲決定部１１１が、無彩色の階調値（ｉ）、白色の階調値（２５５）、白色目標値、現在のガンマ値、及び、Ｓ３０２で取得された第２測定値に基づいて、無彩色に関する許容範囲を決定する（Ｓ３０３）。白色目標値と現在のガンマ値は、パラメータ調整部１０６から取得される。
まず、許容範囲決定部１１１は、所定の画像処理に基づいて第１測定値の目標値を決定する（目標決定処理）。具体的には、無彩色の階調値（ｉ）、白色の階調値（２５５）、白色目標値、及び、現在のガンマ値に基づいて、無彩色に関する第１測定値の目標値（無彩色目標値）が決定される。より具体的には、以下の式７を用いて、無彩色目標値が表すＹ値Ｙ＿ｉが算出される。式７において、ｉは無彩色の階調値であり、γは現在のガンマ値であり、Ｙ＿２５５は白色目標値が表すＹ値である。
Ｙ＿ｉ＝（ｉ／２５５）γ×Ｙ＿２５５  ・・・（式７）
そして、許容範囲決定部１１１は、無彩色目標値とＳ３０２で取得された第２測定値とに基づいて、無彩色に関する許容範囲を決定する。本実施例では、以下の式８を用いて、無彩色に関する許容範囲に対応するＹ値の範囲の上限値Ｙ＿ｍａｘが算出される。そして、以下の式９を用いて、白色に関する許容範囲に対応するＹ値の範囲の下限値Ｙ＿ｍｉｎが算出される。式８，９において、Ｋは予め設定された係数であり、ＬはＳ３０２で取得された第２測定値が表す明るさ（外光の明るさ）であり、Ｙ＿ｉは無彩色目標値が表すＹ値である。
Ｙ＿ｍａｘ＝Ｙ＿ｉ＋Ｋ×Ｌ×Ｙ＿ｉ  ・・・（式８）
Ｙ＿ｍｉｎ＝Ｙ＿ｉ−Ｋ×Ｌ×Ｙ＿ｉ  ・・・（式９）
なお、無彩色目標値が予め用意されている場合には、Ｙ＿ｉを算出する処理は不要である。
【００５２】
係数Ｋは、例えば、表示装置の設計時や製造時に実験によって決定された値である。例えば、照度が５００ルクス程度の環境下で、第２測定値と、（Ｒ値，Ｇ値，Ｂ値）＝（２５５，２５５，２５５）のパッチ画像の第１測定値と、が取得される。Ｓ３０１において、生成されたパッチ画像が、画像処理部１０３で画像処理（Ｓ２０１およびＳ２０４の調整後のパラメータ値を用いた画像処理）を施されて表示される場合は、表示装置に暗室環境下でキャリブレーションを施した状態で、第１測定値を取得する。Ｓ３０１において、生成されたパッチ画像が、画像処理部１０３で画像処理を施されず表示される場合は、表示装置にキャリブレーションを施こさない状態（画像処理部１０３が入力値に変化を加えず出力値として入力値と同じ値を出力する状態）で、第１測定値を取得する。そして、以下の式１０を用いて係数Ｋが算出される。式１０において、Ｙ’は、取得した第１測定値が表すＹ値であり、Ｌ’は、取得した第２測定値が表す明るさであり、Ｙ＿２５５’は暗室環境に対応する白色目標値が表すＹ値である。｜Ｙ’−Ｙ＿２５５’｜はＹ’−Ｙ＿２５５’の絶対値である。
Ｋ＝２×｜Ｙ’−Ｙ＿２５５’｜／（Ｌ’×Ｙ＿２５５’）  ・・・（式１０）
なお、係数Ｋは、本実施例に係る校正装置によって決定されてもよい。例えば、校正装置が、式１０を用いて、予め用意されたＹ’、Ｌ’、及び、Ｙ＿２５５’からＫを算出してもよい。また、校正装置が、Ｙ’、Ｌ’、及び、Ｙ＿２５５’を取得し、取得したＹ’、Ｌ’、及び、Ｙ＿２５５’からＫを算出してもよい。
【００５３】
Ｓ３０３の次に、測定値判断部１１２が、Ｓ３０１で取得された第１測定値が表すＹ値が下限値Ｙ＿ｍｉｎ以上、かつ、上限値Ｙ＿ｍａｘ以下の値であるか否かを判断する（Ｓ３０４）。測定値判断部１１２は、Ｓ３０１で取得された第１測定値が表すＹ値が下限値Ｙ＿ｍｉｎ以上、かつ、上限値Ｙ＿ｍａｘ以下の値である場合には、無彩色の第１測定値は不適切な値でないと判断する。そして、測定値判断部１１２は、Ｓ３０１で取得された第１測定値が表すＹ値が下限値Ｙ＿ｍｉｎ未満、または、上限値Ｙ＿ｍａｘより大きい値である場合には、無彩色の第１測定値が不適切な値であると判断する。
【００５４】
なお、１つの無彩色についてのみＳ３０１〜Ｓ３０４の処理が実行されてもよいし、複数の無彩色についてＳ３０１〜Ｓ３０４の処理が繰り返し実行されてもよい。例えば、ｉ＝０，１，２，・・・２５５の２５６色の無彩色についてＳ３０１〜Ｓ３０４の処理が２５６回繰り返し実行されてもよい。そして、第１測定値が不適切な値であると判断された無彩色の数が閾値以上である場合に、ガンマ特性が不適切な特性であると判断され、第１測定値が不適切な値であると判断された無彩色の数が閾値未満である場合に、ガンマ特性が不適切な特性でないと判断されてもよい。閾値としては、１以上の整数を用いることができる。無彩色の第１測定値が不適切な値であるか否かのみが判断され、ガンマ特性が不適切な特性であるか否かは判断されなくてもよい。
【００５５】
＜色域判断処理＞
色域判断処理（Ｓ２０７の処理）の処理フローについて説明する。
【００５６】
まず、第１測光部１０５が、赤色の第１測定値を取得する（Ｓ３０１）。具体的には、パッチ生成部１０１が赤色の画素値（（Ｒ値，Ｇ値，Ｂ値）＝（２５５，０，０）の画素
値）を有するパッチ画像を生成する。そして、生成されたパッチ画像が表示され、第１測光部１０５が、赤色の画素値を有するパッチ画像の領域からの光の測定値を、赤色の第１測定値として取得する。なお、生成されたパッチ画像は、画像処理部１０３で画像処理（Ｓ２０１、Ｓ２０４、および、Ｓ２０６の調整後のパラメータ値を用いた画像処理）を施されて表示されてもよいし、画像処理部１０３で画像処理を施されず表示されてもよい。
【００５７】
次に、第２測光部１１０が、外光を測定し、第２測定値を取得する（Ｓ３０２）。
【００５８】
そして、許容範囲決定部１１１が、白色目標値とＳ３０２で取得された第２測定値とに基づいて、赤色に関する許容範囲を決定する（Ｓ３０３）。ここでは、Ｘ値、Ｙ値、及び、Ｚ値のそれぞれについて許容範囲が決定される。具体的には、赤色に関する許容範囲に対応するＹ値の範囲、Ｘ値の範囲、及び、Ｚ値の範囲が決定される。
【００５９】
＜＜Ｙ値の範囲の決定方法＞＞
本実施例では、以下の式１１を用いて、赤色に関する許容範囲に対応するＹ値の範囲の上限値Ｙ＿ｍａｘが算出される。そして、以下の式１２を用いて、赤色に関する許容範囲に対応するＹ値の範囲の下限値Ｙ＿ｍｉｎが算出される。式１１，１２において、Ｋ＿Ｙは予め設定された係数であり、ＬはＳ３０２で取得された第２測定値が表す明るさ（外光の明るさ）である。ＹＲ＿２５５は、赤色に関する第１測定値の目標値である赤色目標値が表すＹ値である。
Ｙ＿ｍａｘ＝ＹＲ＿２５５＋Ｋ＿Ｙ×Ｌ  ・・・（式１１）
Ｙ＿ｍｉｎ＝ＹＲ＿２５５−Ｋ＿Ｙ×Ｌ  ・・・（式１２）
【００６０】
係数Ｋ＿Ｙは、例えば、表示装置の設計時や製造時に実験によって決定された値である。例えば、照度が５００ルクス程度の環境下で、第２測定値と、（Ｒ値，Ｇ値，Ｂ値）＝（２５５，０，０）のパッチ画像の第１測定値と、が取得される。Ｓ３０１において、生成されたパッチ画像が、画像処理部１０３で画像処理（Ｓ２０１、Ｓ２０４、および、Ｓ２０６の調整後のパラメータ値を用いた画像処理）を施されて表示される場合は、表示装置に暗室環境下でキャリブレーションを施した状態で、第１測定値を取得する。Ｓ３０１において、生成されたパッチ画像が、画像処理部１０３で画像処理を施されず表示される場合は、表示装置にキャリブレーションを施こさない状態（画像処理部１０３が入力値に変化を加えず出力値として入力値と同じ値を出力する状態）で、第１測定値を取得する。そして、以下の式１３を用いて係数Ｋ＿Ｙが算出される。式１３において、Ｙ’は、取得した第１測定値が表すＹ値であり、Ｌ’は、取得した第２測定値が表す明るさであり、ＹＲ＿２５５’は暗室環境に対応する赤色目標値が表すＹ値である。｜Ｙ’−ＹＲ＿２５５’｜はＹ’−ＹＲ＿２５５’の絶対値である。
Ｋ＿Ｙ＝２×｜Ｙ’−ＹＲ＿２５５’｜／Ｌ’  ・・・（式１３）
【００６１】
＜＜Ｘ値の範囲の決定方法＞＞
本実施例では、以下の式１４を用いて、赤色に関する許容範囲に対応するＸ値の範囲の上限値Ｘ＿ｍａｘが算出される。そして、以下の式１５を用いて、赤色に関する許容範囲に対応するＸ値の範囲の下限値Ｘ＿ｍｉｎが算出される。式１４，１５において、Ｋ＿Ｘは予め設定された係数であり、ＬはＳ３０２で取得された第２測定値が表す明るさ（外光の明るさ）であり、ＸＲ＿２５５は赤色目標値が表すＸ値である。
Ｘ＿ｍａｘ＝ＸＲ＿２５５＋Ｋ＿Ｘ×Ｌ  ・・・（式１４）
Ｘ＿ｍｉｎ＝ＸＲ＿２５５−Ｋ＿Ｘ×Ｌ  ・・・（式１５）
係数Ｋ＿Ｘは、例えば、表示装置の設計時や製造時に実験によって決定された値である。係数Ｋ＿Ｘは、係数Ｋ＿Ｙと同様の方法で算出することができる。具体的には、式１３のＹ’を取得した第１測定値が表すＸ値に置き換え、且つ、式１３のＹＲ＿２５５’を暗室環境に対応する赤色目標値が表すＸ値に置き換えた式を用いて、係数Ｋ＿Ｘを算出することができる。
【００６２】
＜＜Ｚ値の範囲の決定方法＞＞
本実施例では、以下の式１６を用いて、赤色に関する許容範囲に対応するＺ値の範囲の上限値Ｚ＿ｍａｘが算出される。そして、以下の式１７を用いて、赤色に関する許容範囲に対応するＺ値の範囲の下限値Ｚ＿ｍｉｎが算出される。式１６，１７において、Ｋ＿Ｚは予め設定された係数であり、ＬはＳ３０２で取得された第２測定値が表す明るさ（外光の明るさ）であり、ＺＲ＿２５５は赤色目標値が表すＺ値である。
Ｚ＿ｍａｘ＝ＺＲ＿２５５＋Ｋ＿Ｚ×Ｌ  ・・・（式１６）
Ｚ＿ｍｉｎ＝ＺＲ＿２５５−Ｋ＿Ｚ×Ｌ  ・・・（式１７）
係数Ｋ＿Ｚは、例えば、表示装置の設計時や製造時に実験によって決定された値である。係数Ｋ＿Ｚは、係数Ｋ＿Ｙと同様の方法で算出することができる。具体的には、式１３のＹ’を取得した第１測定値が表すＺ値に置き換え、且つ、式１３のＹＲ＿２５５’を暗室環境に対応する赤色目標値が表すＺ値に置き換えた式を用いて、係数Ｋ＿Ｚを算出することができる。
【００６３】
Ｓ３０３の次に、測定値判断部１１２が、Ｓ３０１で取得された第１測定値がＳ３０３で決定された許容範囲内の値であるか否かを判断する（Ｓ３０４）。具体的には、Ｓ３０１で取得された第１測定値が表すＹ値が下限値Ｙ＿ｍｉｎ以上、かつ、上限値Ｙ＿ｍａｘ以下の値であるか否かが判断される。同様に、Ｓ３０１で取得された第１測定値が表すＸ値が下限値Ｘ＿ｍｉｎ以上、かつ、上限値Ｘ＿ｍａｘ以下の値であるか否かが判断される。そして、Ｓ３０１で取得された第１測定値が表すＺ値が下限値Ｚ＿ｍｉｎ以上、かつ、上限値Ｚ＿ｍａｘ以下の値であるか否かが判断される。測定値判断部１１２は、Ｓ３０１で取得された第１測定値が表すＸ値、Ｙ値、及び、Ｚ値のうち、Ｓ３０３で決定された範囲外の値の数が閾値未満である場合に、赤色の第１測定値が不適切な値でないと判断する。そして、測定値判断部１１２は、Ｓ３０１で取得された第１測定値が表すＸ値、Ｙ値、及び、Ｚ値のうち、Ｓ３０３で決定された範囲外の値の数が閾値以上である場合に、赤色の第１測定値が不適切な値であると判断する。閾値としては、１以上の整数を用いることができる。
【００６４】
緑色と青色についても、赤色に関する処理と同様の処理が実行される。
【００６５】
なお、赤色、緑色、及び、青色の３色のうち、第１測定値が不適切な値であると判断された色の数が閾値以上である場合に、表示色の色域が不適切な色域であると判断されもよい。そして、第１測定値が不適切な値であると判断された色の数が閾値未満である場合に、表示色の色域が不適切な色域でないと判断されてもよい。閾値としては、１以上の整数を用いることができる。赤色の第１測定値が不適切な値であるか否か、緑色の第１測定値が不適切な値であるか否か、及び、青色の第１測定値が不適切な値であるか否かのみが判断され、表示色の色域が不適切な色域であるか否かは判断されなくてもよい。
なお、赤色目標値、緑色目標値（緑色に関する第１測定値の目標値）、及び、青色目標値（青色に関する第１測定値の目標値）は、メーカによって予め定められた固定値であってもよいし、そうでなくてもよい。例えば、赤色目標値はユーザが設定及び変更可能な値
であってもよい。また、校正装置が、第２測定値、所定の画像処理、等に基づいて赤色目標値を決定する決定部を有していてもよい。
なお、係数Ｋ＿Ｙ，Ｋ＿Ｘ，Ｋ＿Ｚは、本実施例に係る校正装置によって決定されてもよい。例えば、校正装置が、式１３を用いて、予め用意されたＹ’、Ｌ’、及び、ＹＲ＿２５５’からＫ＿Ｙを算出してもよい。また、校正装置が、Ｙ’、Ｌ’、及び、ＹＲ＿２５５’を取得し、取得したＹ’、Ｌ’、及び、ＹＲ＿２５５’からＫ＿Ｙを算出してもよい。
【００６６】
以上述べたように、本実施例によれば、表示装置に対する外光の測定値（第２測定値）に基づいて画面光の測定値（第１測定値）の許容範囲が決定される。具体的には、外光が明るいほど広い許容範囲が決定される。それにより、測光器の設置不良などによる不適切なキャリブレーションの実行（不適切な第１測定値の取得）を高精度に検出することができ、且つ、不適切なキャリブレーションの実行が頻繁に検出されることを抑制することができる。
【００６７】
Ｓ２０２の処理では、第２測定値のみに基づいて黒色の第１測定値の許容範囲が決定される。それにより、不適切な値の誤検出を抑制し、黒色の第１測定値が不適切な値であることを高精度に検出することができる。
Ｓ２０３、Ｓ２０５、及び、Ｓ２０７の処理では、第１測定値の目標値と第２測定値とに基づいて、許容範囲が決定される。それにより、不適切な値の誤検出を抑制し、第１測定値が不適切な値であることを高精度に検出することができる。
具体的には、Ｓ２０３の処理では、白色目標値と第２測定値に基づいて白色の第１測定値の許容範囲が決定される。それにより、不適切な値の誤検出を抑制し、白色の第１測定値が不適切な値であることを高精度に検出することができる。
Ｓ２０５の処理では、無彩色目標値と第２測定値に基づいて無彩色の第１階調値の許容範囲が決定される。それにより、不適切な値の誤検出を抑制し、無彩色の第１測定値が不適切な値であることを高精度に検出することができる。なお、Ｓ２０５の処理では、無彩色の階調値、白色の階調値、現在のガンマ値、及び、白色目標値に基づいて、無彩色目標値が決定される。そして、無彩色の１つであるグレー色に関する許容範囲として、白色目標値が大きいほど広い許容範囲が決定される。
Ｓ２０７の処理では、赤色目標値と第２測定値に基づいて赤色の第１測定値の許容範囲が決定され、緑色目標値と第２測定値に基づいて緑色の第１測定値の許容範囲が決定され、青色目標値と第２測定値に基づいて青色の第１測定値の許容範囲が決定される。それにより、不適切な値の誤検出を抑制し、赤色の第１測定値が不適切な値であること、緑色の第１測定値が不適切な値であること、及び、青色の第１測定値が不適切な値であることを高精度に検出することができる。
【００６８】
なお、本実施例では、黒色判断処理、白色判断処理、ガンマ判断処理、及び、色域判断処理を行う例を説明したが、判断処理はこれらに限らない。また、上述した４つの判断処理の全てまたは一部が実行されなくてもよい。例えば、黄色の画素値を有するパッチ画像を表示した状態で黄色の第１測定値が取得されてもよい。そして、判断処理として、黄色の第１測定値が不適切な値であるか否かを判断する処理が実行されてもよい。また、黄色の第１測定値に基づいて、黄色の表示輝度や表示色が所望の値となるようにパラメータ値が調整されてもよい。
なお、パッチ画像の色は、白色、黒色、グレー色、赤色、青色、緑色、及び、黄色にかぎならない。パッチ画像の色はどのような色であってもよい。
【００６９】
なお、本実施例では、黒色判断処理、白色判断処理、及び、ガンマ判断処理において、第１測定値が表す輝度値（Ｙ値）を用いて第１測定値が不適切な値であるか否かを判断する例を説明したが、判断方法はこれに限らない。例えば、第１測定値が表すＸ値を用いて
第１測定値が不適切な値であるか否かが判断されてもよいし、第１測定値が表すＺ値を用いて第１測定値が不適切な値であるか否かが判断されてもよい。第１測定値が表す複数の値を用いれば、第１測定値が不適切な値であるか否かの判断精度を向上することができる。例えば、上述した色域判断処理のようにＸ値、Ｙ値、及び、Ｚ値を用いれば、判断精度を向上することができる。
【００７０】
なお、本実施例では、色域判断処理において、第１測定値が表すＸ値、Ｙ値、及び、Ｚ値を用いて第１測定値が不適切な値であるか否かを判断する例を説明したが、判断方法はこれに限らない。例えば、第１測定値が表すＸ値、Ｙ値、及び、Ｚ値のうちの１つまたは２つを用いて第１測定値が不適切な値であるか否かが判断されてもよい。
【００７１】
なお、本実施例では、第１測定値が表すＸＹＺ三刺激値を用いて第１測定値が不適切な値であるか否かを判断する例を説明したが、判断方法はこれに限らない。例えば、第１測定値が表すＲＧＢ値やＹＣｂＣｒ値を用いて第１測定値が不適切な値であるか否かが判断されてもよい。
【００７２】
なお、Ｓ２０１〜Ｓ２０１の処理の順番は、図２に示す順番に限らない。例えば、Ｓ２０２の処理よりも前にＳ２０３の処理、Ｓ２０５の処理、Ｓ２０７の処理、等が行われてもよい。また、本実施例では、画質調整処理（Ｓ２０１の処理、Ｓ２０４の処理、Ｓ２０６の処理、等；キャリブレーションの一部）と判断処理がその順番で交互に行われる例を説明したが、全ての画質調整処理が行われた後に判断処理が行われてもよい。例えば、Ｓ２０１の処理、Ｓ２０４の処理、Ｓ２０６の処理、Ｓ２０２の処理、Ｓ２０３の処理、Ｓ２０５の処理、Ｓ２０７の処理の順で、Ｓ２０１〜Ｓ２０７の処理が行われてもよい。全ての判断処理が行われた後に画質調整処理が行われてもよい。判断処理と画質調整処理がその順番で交互に行われてもよい。
【００７３】
＜実施例２＞
以下、本発明の実施例２に係る校正装置及びその制御方法について説明する。
画面には表面加工が施されていることがあり、第１測定値に対する外光の影響度合いは表面加工に依存し、第１測定値に対する外光の影響度合いが大きいほど広い許容範囲を決定することが好ましい。そこで、本実施例では、画面に施されている表面加工の種類をさらに考慮して許容範囲を決定する例を説明する。
具体的には、画面にグレア加工が施されている場合、ノングレア加工が施されている場合に比べ、外光が画面に反射しやすく、外光が第１測定値に影響を及ぼしやすい。そこで、本実施例では、画面にグレア加工が施されている場合に、画面にノングレア加工が施されている場合よりも広い許容範囲を決定する例を説明する。
なお、実施例１と同様の構成や機能については説明を省略する。
【００７４】
本実施例に係る校正装置（表示装置）の構成及び処理フローは、実施例１（図１〜３）と同じである。但し、本実施例では、許容範囲の決定方法（図３のＳ３０３の処理）が実施例１と異なる。
【００７５】
Ｓ３０３では、画面にグレア加工が施されている場合に、画面にノングレア加工が施されている場合よりも大きい係数Ｋを用いて、許容範囲が決定される。例えば、画面にノングレア加工が施されている表示装置では、黒色判断処理において、式３を用いて算出された係数Ｋを用いて許容範囲が決定される。そして、画面にグレア加工が施されている表示装置では、黒色判断処理において、以下の式１８を用いて算出された係数Ｋを用いて許容範囲が決定される。それにより、画面にグレア加工が施されている場合に、画面にノングレア加工が施されている場合よりも広い許容範囲を決定することができる。
Ｋ＝３×Ｙ’／Ｌ’  ・・・（式１８）
なお、画面にグレア加工が施されている場合と画面にノングレア加工が施されている場合度で、係数Ｋではなく許容範囲の算出式（許容範囲の上限値と下限値の算出式）が異なっていてもよい。
【００７６】
校正装置が表示装置に設けられている場合には、表示装置の製造時などにおいて、適切な係数Ｋ（または係数Ｋの算出式）を校正装置（校正装置が有する記憶部）に予め記録することができる。適切な係数Ｋ及びその算出式は、表示装置の設計時や製造時に決定することができる。
【００７７】
校正装置が表示装置と別体の装置の装置である場合には、校正装置に接続された表示装置（キャリブレーション対象の表示装置；対象表示装置）を他の表示装置に切り替えることにより、対象表示装置の画面に施された表面加工の種類が変化することがある。例えば、対象表示装置を別の方式の表示装置に切り替えること（液晶表示装置からプラズマ表示装置への切り替え、等）により、対象表示装置の画面に施された表面加工の種類が変化することがある。また、校正装置が表示装置に設けられている場合であっても、表面フィルムの貼り付け、表示部の交換、などによって表面加工の種類が変化することがある。例えば、表示装置の表示部が別の方式の表示部へ交換されること（液晶表示パネルからプラズマ表示パネルへの交換、等）により、表面加工の種類が変化することがある。
【００７８】
そのような場合には、対象表示装置の画面に施されている表面加工の種類を表す加工情報を取得すればよい（加工取得処理）。そして、加工情報に基づいて、画面にグレア加工が施されているか、画面にノングレア加工が施されているか、を判断すればよい（加工判断処理）。加工判断処理の結果に応じて許容範囲の決定方法を切り替えれば、表面加工の種類を考慮した適切な許容範囲を決定することができる。
【００７９】
なお、加工取得処理と加工判断処理は、校正装置が有するどの機能部によって行われてもよい。校正装置は、加工取得処理を行う加工取得部と、加工判断処理を行う加工判断部と、をさらに有していてもよい。
なお、加工取得処理の方法は特に限定されない。例えば、対象表示装置に加工情報が予め記録されている場合には、対象表示装置から加工情報を取得することができる。また、対象表示装置の画面に施されている表面加工をユーザに問い合わせ、ユーザからの応答結果を加工情報として取得してもよい。ユーザへの問い合わせは、例えば、対象表示装置の画面にＯＳＤ（Ｏｎ  Ｓｃｒｅｅｎ  Ｄｉｓｐｌａｙ）画像を表示することで行われる。上述したように、表面フィルムの貼り付けなどによって表面加工の種類が変化することがある。そのため、加工取得処理は、キャリブレーションの実行時に行われることが好ましい。
【００８０】
本実施例によれば、画面に施されている表面加工の種類をさらに考慮して許容範囲が決定される。それにより、実施例１よりも適切な許容範囲を決定することができる。ひいては、不適切なキャリブレーションの実行をより高精度に検出することができ、且つ、不適切なキャリブレーションの実行が頻繁に検出されることをより抑制することができる。
【００８１】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この
目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００８２】
１０５  第１測光部
１１０  第２測光部
１１１  許容範囲決定部
１１２  測定値判断部
【図１】
2015152622.tif 000003
【図２】
2015152622.tif 000004
【図３】
2015152622.tif 000005